(57)【特許請求の範囲】
【請求項１】
駆動ピストン（16）を有する注入器ヘッド（10）と、
注入器ヘッド（10）の前壁へ取り付けられ、駆動ピストン（16）が通って延びる開口を形成している注入器面板（20）と、
アダプター面板（120）とを具え、
該アダプター面板（120）は、それを、注入器面板（20）又は該注入器面板（20）を外した後の注入器ヘッド（10）前壁の何れかへ取り付けする取付け装置と、シリンジ（40）をアダプター面板（120）へ着脱可能に取り付けできるようにした取付け機構とを具え、
アダプター面板（120）は、アダプター開口（170）を形成し、駆動ピストン（16）は該開口（170）を通って延び、シリンジ（40）のプランジャー（46）に連結し、
アダプター面板（120）の取付け機構は、
シリンジ（40）の基端部を受け入れるベース（160）と、
対称運動機構によってベース（160）に取り付けられ、開位置と閉位置との間を移動して、シリンジ（40）端部の開放及び係合をする一対の回転アーム（220）（240）を具えた装置。
【請求項２】
シリンジ（40）のプランジャー（46）と係合するために、駆動ピストン（16）へ取り付けできるピストン延長部（320）アダプターを更に具えた請求項１の装置。
【請求項３】
アダプター面板（120）の取付け装置は、該アダプター面板（120）を、注入器面板（20）又は注入器ヘッド（10）前壁の何れかへ取り付けるための耳片（l12a）（112b）を具えた請求項１の装置。
【請求項４】
注入器ヘッド（10）に配された少なくとも１つの感知器（351）に繋がる信号発生手段を更に具えており、アダプター面板（120）が注入器ヘッド（10）へ取り付けられたことを表示する請求項１の装置。
【請求項５】
ベース（160）はシリンジ（40）の基端部の少なくとも１つのフランジ（44）を受ける少なくとも１つの凹み（190）と、シリンジ（40）をアダプター面板（120）上に保持するために、少なくとも１つのシリンジフランジ（44）を係合する保持フランジとを具えた請求項１の装置。
【請求項６】
アダプター面板（120）の取付け機構は、
シリンジ（40）がベース（160）に受け入れられた後、閉位置にある一対のアーム（220）（240）を固定するベース（160）から延びたロック軸（300）とを具えた請求項１の装置。
【請求項７】
駆動ピストン（16）を有する注入器ヘッド（10）と、
注入器ヘッド（10）の前壁へ取り付けられ、駆動ピストン（16）が通って延びる開口を形成している注入器面板（20）と、
アダプター開口（170）を形成し、該開口（170）を通って駆動ピストン（16）を延長させ、所望のシリンジ（40）のプランジャー（46）に連結させるアダプター面板（120）とを具え、
該アダプター面板（120）は、
該アダプター面板（120）を、注入器面板（20）を外した後の注入器ヘッド（10）前壁に取り付ける１つ以上の耳片（122a）（122b）と、
シリンジ（40）をアダプター面板（120）へ着脱可能に取り付けできるようにした取付け機構とを具え、
該取付け機構は、シリンジ（40）の端部を受け入れるベース（160）を具えており、該ベース（160）はシリンジ（40）の基端部にある１つ以上のフランジ（44）を受ける１つ以上の凹み（190）と、シリンジ（40）をアダプター面板（120）上に保持するために、シリンジフランジ（44）を係合する保持フランジと、
シリンジ（40）の基端部を受け入れるベース（160）と、対称運動機構によってベース（160）に取り付けられ、開位置と閉位置との間を移動して、シリンジ（40）端部の開放及び係合をする一対の回転アーム（220）（240）を具えた装置。
【請求項８】
シリンジ（40）のプランジャー（46）と係合するために、駆動ピストン（16）へ取り付けできるピストン延長部（320）を更に具えた請求項７の装置。
【請求項９】
注入器ヘッド（10）に配された感知器に繋がる少なくとも１つの信号発生手段を更に具えており、アダプターベースが注入器ヘッド（10）へ取り付けられたことを表示する請求項７の装置。
【請求項１０】
注入器ヘッド（10）に配された１つ以上の感知器（351）に繋がる少なくとも１つの信号発生器を更に具えており、それは自動的に注入器ヘッド（10）の少なくとも１つの操作パラメータを調整する請求項７の装置。
【請求項１１】
注入器ヘッド（10）に配された感知器に繋がる少なくとも１つの信号発生器を更に具えており、それは自動的に注入器ヘッド（10）の少なくとも１つの操作パラメータを調整する請求項１の装置。
【請求項１２】
種々の形状のシリンジ（40）を注入器に取り付けるシリンジ取付けシステムであって、該シリンジ取付けシステムは、
駆動ピストン（16）を有する注入器ヘッド（10）と、
注入器ヘッド（10）の前壁へ取り付けられ、駆動ピストン（16）が通って延びる開口を形成している注入器面板（20）と、
アダプター開口（170）を形成し、駆動ピストン（16）を該開口（170）を通って延長させ、所定シリンジ（40）のプランジャー（４６）に連結させるアダプター面板（120）とを具え、
該アダプター面板（120）は、それを、注入器面板（20）又は注入器面板（20）を外した後の注入器ヘッド（10）前壁の何れかへ取り付けする取付け装置と、シリンジ（40）をアダプター面板（120）へ着脱可能に取り付けできるようにした取付け機構と、シリンジ（40）のプランジャー（46）と係合するために、駆動ピストン（16）へ取り付けできるピストン延長部（320）を具えており、
アダプター面板（120）の取付け機構は、
シリンジ（40）の基端部を受け入れるベース（160）と、
対称運動機構によってベース（160）に取り付けられ、開位置と閉位置との間を移動して、シリンジ（40）端部の開放及び係合をする一対の回転アーム（220）（240）を具えたシステム。
【請求項１３】
アダプター面板（120）は、注入器ヘッド（10）に配された１つ以上の感知器（351）に繋がる少なくとも１つの信号発生手段を更に具えており、アダプター面板が注入器ヘッド（10）へ取り付けられたことを表示する請求項12のシステム。
【請求項１４】
アダプター面板は、注入器ヘッド（10）に配された少なくとも１つの感知器に繋がる少なくとも１つの信号発生器を更に具えており、それは自動的に注入器ヘッド（10）の少なくとも１つの操作パラメータを調整する請求項12のシステム。
【請求項１５】
アダプター面板（120）の取付け装置は、アダプター面板（120）を、注入器面板（20）又は注入器ヘッド（10）前壁の何れかへ取り付けるための少なくとも１つの耳片（122a）を具えた請求項12のシステム。
【請求項１６】
ベース（160）は、シリンジ（40）の基端部にある１つ以上のフランジ（44）を受けるための１つ以上の凹み（190）と、シリンジ（40）をアダプター面板（120）上に保持するために、１つ以上のシリンジフランジ（44）を係合するための１つ以上の保持フランジとを具えた請求項12のシステム。
【請求項１７】
アダプター面板（120）の取付け機構は、
シリンジ（40）がベース（160）に受け入れられた後、閉位置にある一対のアーム（220）（240）を固定するベース（160）から延びたロック軸（300）とを具えた請求項12のシステム。
【発明の詳細な説明】
【０００１】
技術分野
本願は、医療用注入器へシリンジを着脱可能に取り付け及び取り外しするアダプターに関連する。特に種々の型と寸法のシリンジを前方取付け式注入器に着脱可能に取り付け、及び取り外すアダプターに関連する。
【０００２】
背景技術
造影剤のような流体を収容する医療用注入器とシリンジが、様々な診断用画像処置に際して、患者への流体注入に、一般に使用される。前方取付け型の注入器は、しばしばそのような処置に使用される。米国特許第５，３８３，８５８号は、本願の譲受人に譲渡されたものであって、それを引用することをもって、本願の一部とするが、該特許は、前方取付け型の注入器及び、それに対応するシリンジの形状に関して詳細に説明している。米国特許第５，３８３，８５８号の前方取付け型の注入器の利点の１つは、シリンジから患者への流体通路を外すことなく、該シリンジを注入器ヘッドに容易に取り付け、及び取り外し得ることである。米国特許第５，３８３，８５８号の前方取付け型の注入器のもう一つの利点は、シリンジプランジャーを後退させないで、注入器ヘッドの駆動手段がシリンジプランジャーから外されて、後退が出来ることである。こうして、診断の処置の完了後に患者から流体が戻ってくる危険は著しく減少する。この特徴は、本願の譲受人に譲渡され、それを引用することで本願の一部となっている米国特許第４，６７７，９８０号にも開示されている。
【０００３】
米国特許第５，３８３，８５８号で記載されているように、前方取付け型注入器と共に使用されるシリンジは、該シリンジを注入器ヘッドの前壁に固定するために、特別にデザインされた容易に開放できる取付け機構と、該シリンジプランジャーを注入器のピストンヘッドに固定するために、特別にデザインされた容易に開放できる取付け機構を必要とする。これらの必要な取付け機構は、しばしばシリンジのコストを上げ、そして種々の型、寸法や形態の他のシリンジを前方取付け型注入器には使用することはできない。従って、種々の型、寸法、形状のシリンジに使用できるアダプターを製って、これらのシリンジが前方取付け型の注入器に使える様にすることが望まれている。
【０００４】
発明の要約
本発明のシリンジアダプターによって、種々の型、寸法や形態のシリンジを前方取付け型注入器、特に取外し可能な注入器面板を有し又は有しない前方取付け型注入器に使用することが可能になった。
【０００５】
本発明の１つの実施例では、取り外し可能な注入器面板を具えた前方取付け型注入器に使用するために、アダプターは、開放容易な取付け機構を有するアダプター面板を具えており、注入器面板を外してから、このアダプター面板を注入器ヘッドの前壁へ取り付ける。取外し可能なピンは、該アダプター面板及び該注入器ヘッドの前壁に挿入可能であって、アダプター面板が該注入器ヘッドの前壁に対して回転することを防止する。
【０００６】
該アダプターは更に、減摩ベース（reducing base）及び該減摩ベースの中央部表面に繋がった減摩エッジで形成された減摩スリーブを含んでいる。該エッジ及びベースは共同して、シリンジの端部フランジを受けるための孔を形成する。アダプターは更に、シリンジ取付け機構を有しており、例えば、エッジの中央部表面に回転可能に取り付けられたロック用回転アームがある。該減摩エッジは望ましくは、低摩擦係数を有する材料で作られ、ロック用回転アームの容易でなめらかな動きを可能にする。
【０００７】
ある実施例では、ロック用回転アームが歯車機構で繋がれていて、操作者が１つのアームだけを握って、該アームを開又は閉じ位置へ移動させた場合に、該アームの同時運動を可能にする。各回転アームの内表面には、回転アームが開位置にあるとき、シリンジのフランジを受ける第１傾斜面及び、回転アームが閉じ位置にあるとき、シリンジ本体の端部と係合する第２傾斜面を具えている。回転アーム端部の回転軸はカム係合しており、減摩エッジから延びるロック軸の周りで結合及びロックする。
【０００８】
アダプターは更に、ピストン延長部を有しており、注入器駆動ピストンを延ばして、シリンジプランジャーと係合させる。ピストン延長部は、該延長部を該シリンジプランジャーに取り付ける手段及び、該延長部を注入器駆動ピストンに取り付ける手段を含む。様々な直径及び長さのピストン延長部が、内径とプランジャー位置が様々なシリンジを使用可能にするために使われる。
【０００９】
本発明の他の実施例では、取外し可能な面板を有しない前方取付け型注入器に使用するために、アダプターはアダプターベースを具えており、そこから取外し容易な取付け機構が延び、注入器ヘッドの前壁の開口へアダプターを取り付けたり、取り外しができる。以前に開示された他のアダプター構成要素の全てが、この実施例に含まれるだろう。
取外し可能な面板を有し又は有しない注入器のために、該アダプターは信号発生手段も含み、該注入器は対応する感知器を含み、該感知器は互いに協同して、アダプターが適切に取り付けられたこと、及び、例えば流量と圧力を調節するのに、該注入器を自動的に調整する。
【００１０】
【図面の簡単な説明】
図１は、取外し可能な面板を有する前方取付け式注入器の分解斜視図，
図２は、図１の前方取付け式注入器の組立斜視図，
図３は、前方取付け式注入器及び本発明アダプターの第１実施例の分解斜視図，
図４は、前方取付け式注入器及び本発明アダプターの第１実施例の組立て斜視図，
図５は、本発明アダプターの第１実施例の分解図，
図６は、開位置にある本発明アダプターの第１実施例の正面図，
図７は、閉じ位置にある本発明アダプターの第１実施例の正面図，
図８は、閉じ位置にある本発明アダプターの第１実施例の側面図，
図９は、閉じ位置にある本発明アダプターの第１実施例の背面図，
図１０は、本発明アダプターの他の実施例の分解前方斜視図，
図１１は、図１０の本発明アダプターの分解背面斜視図，
図１２は、本発明アダプターのピストン延長部の一実施例の斜視図，
図１３は、図１２の線１３−１３に沿って断面した本発明アダプターのピストン延長部の断面図，
図１４は、本発明アダプターのピストン延長部の他の実施例の斜視図，
図１５は、代替的な形状の注入器駆動ピストンに取り付けられた、図１４の線１５−１５に沿って断面した本発明アダプターのピストン延長部の断面図，
図１６は、図１０及び図１１に示されたアダプターの実施例に関連して使用される他の注入器ヘッドの分解斜斜視図である。
【００１１】
発明の詳細な説明
米国特許第５，３８３，８５８号に、より詳細に記述されているように、前方取付け式注入器は、前壁及び該前壁中に形成された開口を有する注入器ヘッド、及びピストンヘッドを具えたピストンのような駆動部材を含み、該駆動部材は往復動可能に注入器ヘッド内に取り付けられ、且つ、該注入器ヘッドから出て延長可能である。本発明の実施例の１つで、図１及び図２に示されるように、前方取付け式注入器ヘッド（10）は前壁（12）及びその中に形成された孔（14）、ピストンヘッド（18）を有するピストン（16）のような駆動部材と、前壁（12）に取外し可能に取り付けられた注入器面板（20）を含んでいる。面板（20）は、耳片（22a）及び（22b）（図示せず）のような着脱可能な取付け機構を含み、該面板（20）を前壁（12）に取り付ける。特に、耳片（22a）及び（22b）は、それぞれ開いた切込み（14a）及び（14b）に挿入され、面板（20）は９０度回転されるので、耳片（22a）及び（22b）は前壁の突出部（12a）及び（12b）の後ろに係合する。同様に、注入器面板（20）を注入器ヘッドから取り外すには、該注入器面板（20）を反対方向に９０度回転し、その後、耳片（22a）及び（22b）を開いた切込み（14a）及び（14b）から取り外すことによって行う。ガスケット（24）が、面板（20）と前壁（12）の間に置かれる。取外し可能なピン（26）が、面板（20）が前壁（12）に対して回転することを防ぐために取り付けられる。ピン（26）は、面板（20）及び前壁（12）にそれぞれ位置しているピン孔（21）及び（13）に挿入されており、該シリンジに繋がれる管（図示せず）を受け入れて維持するために凹み（28）を含んでいる。米国特許第５，３８３，８５８号に記述されているように、面板（20）は、プランジャー（32）を有する前方取り付け型シリンジ（30）を受け入れるように形成されている。
【００１２】
図３〜図９は、本発明のアダプター（100）の一実施例の詳細を示していて、該発明は、取外し可能な注入器面板（20）を有する前方取付け型注入器に、種々の型、寸法、及び形状のシリンジの使用が出来るものである。例えば、該アダプター（100）と共に使用されるシリンジ（40）は、本体（42）と、該本体（42）の端部に配置されたフランジ（44）と、本体（42）内に往復可能に取り付けられたプランジャー（46）を含む。プランジャー（46）は、該プランジャー（46）の端部から該プランジャー（46）の内方へ延びている内螺条（図示せず）も含んでいる。
【００１３】
図５〜図９に示されるように、アダプター（100）は、耳片（122a）及び（122b）のような着脱可能取付け機構を有するアダプター面板（120）を含み、該アダプター面板（120）を前方取付け型注入器（10）へ取り付ける。注入器開いた切込み（14a）及び（14b）（図３に示されている）を有するアダプター面板（120）の耳片（122a）及び（122b）の操作は、前に記述したように、注入器開いた切込み（14a）及び（14b）を有する注入器面板（20）の耳片（22a）及び（22b）の操作と同様である。ガスケット（24）が、アダプター面板（120）と前壁（12）の間に配備される。ある実施例では、図９に示す如く、止め金（125）が耳片（122b）の端部に設けられており、これはアダプター面板（120）を注入器前壁（12）上へ取り付けてとき、注入器前壁の突起（12b）に設けた溝（図示せず）と作用する。止め金（125）及び溝を設けた理由は、操作者がアダプター面板（120）を逆向きに注入器前壁（12）に取り付けるのを防ぐためである。
【００１４】
アダプター（100）は更に、減摩ベース（160）と、該減摩ベース（160）の中央部表面に繋がった減摩エッジ（180）で形成された減摩スリーブ（140）とを含む。エッジ（180）及びベース（１６０）は２つが合わさって、シリンジ（40）の端部フランジ（44）を受け入れる凹み（190）を形成する。減摩ベース（160）はアダプター面板（120）内に固定されていて、注入器（10）の注入器ピストン（16）の前後方向の動きを許容する開口（170）を含んでいる。減摩エッジ（180）は、望ましくは低摩擦係数を有する材料で作られて、下記するようにエッジ（180）の中央部表面に回転可能に取り付けられたロック用回転アーム（220）及び（240）のように、シリンジ取付け機構が容易に且つなめらかに動くようにする。
【００１５】
本発明で、シリンジ取付け機構は、それぞれ軸（260）及び（280）にあるロック用回転アーム（220）及び（240）を、着脱可能にシリンジフランジ（44）に係合する。ある実施例では、図５及び図９に図示するように、回転軸（260）及び（280）は、隣り合ったギア（262）及び（282）で形成されたギア機構（270）で構成され、１つのアームだけを操作者が握って、該アーム（220）及び（240）を開又は閉じ位置へ移動させた場合に限り、それらギアは互いに合わさってアーム（220）及び（240）の同時運動が可能になる。しかしながら、理解されることは、回転アーム（220）及び（240）が互いに独立して作動するように、片方のアームだけが動くように、又は該アダプター（100）が１つの回転アームだけを有するように、該アダプター（100）がデザインされ得るということである。
【００１６】
図６及び図７に図示される如く、各アーム（220）及び（240）の内側表面がそれぞれ、第１傾斜面（223）及び（225）を含むのは、図６に示されるように、回転アーム（220）及び（240）が開位置にある場合にシリンジフランジ（44）を受け入れ可能にするためで、第２傾斜面（227）及び（229）を含むのは、図７に示されるように、回転アーム（220）及び（240）が閉じ位置にある場合にシリンジ本体（42）の端部を係合するためであって、以下に詳細に記述されている。回転アーム（220）及び（240）はそれぞれ、アーム延長部（222）及び（242）も含み、それらは、該回転アーム（220）及び（240）をしっかり握って閉じ及び開位置へ動かすことを助ける。回転軸（260）及び（280）と反対側の回転アーム端部は、減摩エッジ（180）から延びているロック軸（300）の周りでカム係合して、結合及びロックする。ロック軸（300）は、回転アーム（220）及び（240）を適所へロックするのに役立つガスケット（302）を含む。シリンジ取付け機構は、注入器ヘッド（10）へ取り付けるべき所定のシリンジの型、寸法、形状に合わせた、任意の形状のものでよいことが理解される。例えば、米国特許第５，３８３，８５８号で示されているように、縮小した直径のシリンジが半径方向に突出するフランジを含む場合、対応するシリンジ取付け機構は、米国特許第５，３８３，８５８号で示されているように、シリンジの半径方向に突出するフランジに係合された、半径方向に突出する保持フランジとすることが出来る。
【００１７】
図３、１２及び１３には、アダプター（100）を、シリンジ（40）のプランジャー（46）と結合させるために、ピストン（16）を延長させるピストン延長部（320）を含むことを更に示している。該ピストン延長部（320）の実施例は、ピストン延長部（320）をシリンジプランジャー（46）のベースに接合する手段を含んでいて、それはプランジャー（46）端部に形成された螺条（図示せず）と係合可能な、螺条（330）のようなものである。ピストン延長部（320）は更に、延長部（320）をピストンヘッド（18）に在るスロット（19）によって、ピストンヘッド（18）へ取り付けるための突出部（340）を含んでいる。様々な直径及び長さのピストン延長部を用いることにより、様々な内径及びプランジャー位置を有するシリンジの使用が可能となる。ピストン延長部を注入器駆動ピストン及びシリンジプランジャーへ取り付けるように、他の機構がデザインされ、注入器駆動ピストンヘッド及び特定のシリンジプランジャーの形状に依ってデザインされ得ることが理解される。
【００１８】
図１及び図２の注入器面板（20）と同様に、アダプター面板（120）には取外し可能なピン（124）が配備されて、アダプター面板（120）が前壁（12）に対して回転するのを防ぐ。ピン（124）は、それぞれアダプター面板（120）及び注入器前壁（12）に設けられたピン孔（123）及び（13）へ挿入される。ピン（124）は更に、凹み（126）を含んでいて、シリンジ（40）に接続される管（図示せず）の受入れ及び保持をする。
【００１９】
アダプター面板（120）及び注入器ヘッド（10）は、アダプター面板（120）が正しく注入器ヘッド（10）に取り付けられたことをインジェクターヘッドに示すために協働手段を具えている。さらに、協働手段は、アダプター面板（120）が注入器ヘッド（10）に取り付けられた場合に、例えば流量及び圧力を調節するために注入器ヘッド（10）を自動的に調整することも行う。例えば、図９に示されるように、そのような共同手段は、アダプター面板（120）の周縁表面に複数の磁気部分（340〜350）を設けたものである。注入器ヘッド（10）は、図３に示される２つの対向する磁気感知器（351）及び（353）を含んでおり、それらは、アダプター面板（120）が正しく取り付けられた場合に、磁気部分（344）及び（346）の存在を感知する。磁気感知器（351）及び（353）が、磁気部分（344）及び（346）を感知しない、又は逆に、磁気部分（340〜350）が整列していない場合は、注入器ヘッド（10）は作動しない。
【００２０】
図３〜９に示されるアダプターを使用するために、前記したように、図１の注入器面板（20）を取り外して、前記したように、耳片（112a）及び（112b）を開いた切込み（14a）及び（14b）に挿入すること及び、アダプター面板（120）を回転することによって、該アダプター面板（120）が注入器（10）の前壁（12）へ取り付けられる。その後、ピン（124）は整列したピン孔（123）及び（13）へ挿入される。特定のシリンジ（40）に対応するピストン延長部（320）は、突出部分（340）及びスロット（19）によって、注入器ピストン（16）へ取り付けられる。回転アーム（220）及び（240）は、アーム延長部（222）及び（242）によって開かれるので、減摩スリーブ（140）の凹み（190）は、シリンジの端部フランジ（44）を受け入れることが出来る。所定のシリンジ（40）のプランジャーが、螺条（330）によってピストン延長部（320）へ連結され、それによってシリンジのフランジ（44）は凹み（190）へ収容される。一度シリンジフランジ（44）が適当な位置に納まると、回転アーム（220）及び（240）は閉位置へ回動して、ロック軸（300）及びガスケット（302）に対してロックし、シリンジ（40）をアダプター（100）に固定する。アダプター（100）からシリンジ（40）を取り外すには、逆の工程を行う。
【００２１】
図１０及び１１は、アダプター（400）の他の実施例である。図１０は、該アダプター（400）の正面分解斜視図であって、図１１は、該アダプター（400）の背面分解斜視図である。この実施例で、先に図１及び図２に表したように、注入器ヘッド（10）は取外し可能な面板を含まない。その代わりに、図１６に示されるように、注入器ヘッド（10）はシリンジ受入れポート（500）を含んでいて、それは凹み（502a）（502b）（図示せず）と保持用フランジ（504a）及び（504b）（図示せず）が形成され、米国特許第５，３８３，８５８号に記載された半径方向に延びるフランジ、又は図１０と１１のアダプター（400）を受け入れる。特に、アダプター（400）は、凹み（502a）（502b）と合わさる耳片（404a）（404b）を有するアダプターベース（402）に取り付けられた減摩スリーブ（140）及び、シリンジ受け入れポート（500）の保持フランジ（504a）（504b）を有するから、アダプター（400）を注入器ヘッド（10）の前壁（12）へ、容易に取り付け及び取り外しができる。
【００２２】
アダプター（400）がシリンジ受け入れポート（500）に適正に取り付けられた場合、耳片（404b）の止め金（410）は、図１６で示されるように、注入器ヘッド（10）の感知器（510）を励起し、従って、注入器ヘッド（10）に対して、アダプター（400）が注入器ヘッド（10）に取り付けられたことを表示する。感知器（510）の励起によって、更に注入器ヘッドに対し、例えば流量と圧力を調節する。
【００２３】
アダプター（400）がシリンジ受入れポート（500）に取り付けられていない場合、別の感知器（512）（514）（516）が注入器ヘッド（10）に取り付けられ、シリンジが、シリンジ受入れポート（500）に挿入されたとき、シリンジの突出部又は止め金と作用して、特定のシリンジが正しく装着されたこと及びその型、寸法、形状を確認する。シリンジが該これらの感知器、突出部分及び止め金の操作は、米国特許第５，３８３，８５８号に記述されている感知器、突出部分及び止め金と同様である。図３〜９に関連して以前に記載した他のアダプター要素、特にシリンジ取付け機構は、この実施例に含まれる。
【００２４】
ピストン延長部（550）のもう１つの実施例が、図１４及び１５に示されている。この実施例では、対応する注入器駆動ピストン（600）は、取付けフランジ（612）を有するピストンヘッド（610）を含んでおり、これはピストン延長部（550）の第１端部に設けた対応するスロット（570）へ挿入される。ピストン延長部（550）が正しくピストンヘッド（610）へ取り付けられた場合に、スロット（572）内に設けたバネ式取付けピン（580）が、取付けフランジ（612）の凹み（614）に係合する。従って、ピストン駆動ヘッド（610）から、ピストン延長部（550）が不意に外れることを防ぐ。ピストン延長部の第２端部には、螺条（560）のような、ピストン延長部をプランジャーに固定する手段を含んでいる。
【００２５】
本発明のシリンジアダプターは、説明の目的で詳細に記述されてきたが、そのような詳細さは単にこの目的のためであって、当業者によって、本発明の趣旨及び範囲から離れることなく、変形を加えることは可能である。
【図１】
0004036476.tif 000002
【図２】
0004036476.tif 000003
【図３】
0004036476.tif 000004
【図４】
0004036476.tif 000005
【図５】
0004036476.tif 000006
【図６】
0004036476.tif 000007
【図７】
0004036476.tif 000008
【図８】
0004036476.tif 000009
【図９】
0004036476.tif 000010
【図１０】
0004036476.tif 000011
【図１１】
0004036476.tif 000012
【図１２】
0004036476.tif 000013
【図１３】
0004036476.tif 000014
【図１４】
0004036476.tif 000015
【図１５】
0004036476.tif 000016
【図１６】
0004036476.tif 000017